(57)【要約】パッケージは加熱成形された帯状体または支持部材、加熱成形された帯状体の空洞内または支持部材上に配置された光データ記憶媒体、光データ記憶媒体上、および加熱成形された帯状体または支持部材上に配置され、かつ、加熱成形された帯状体または支持部材と封着関係にある覆い帯状体を含み、加熱成形された帯状体または支持部材と、覆い帯状体の各々は酸素障壁を含み、かつ、加熱成形された帯状体または支持部材と、覆い帯状体の少なくとも１つは酸素スカベンジャーを含む。パッケージを作製する方法も開示されている。加熱成形された帯状体または支持部材と、覆い帯状体の少なくとも１つに酸素スカベンジャーを含むことに加え、またはそれの代案として、酸素スカベンジャーは、例えばディスク、コーティング、ラベル、ペレット、ウェハ、または平坦化された小袋の形で光媒体上に配置することができる。
2005532963.tif 000002
【特許請求の範囲】
【請求項１】
ａ）空洞を有する加熱成形された帯状体と、
ｂ）前記加熱成形された帯状体の前記空洞内に配置された光データ記憶媒体と、
ｃ）前記光データ記憶媒体上および前記加熱成形された帯状体上に配置され、かつ、前記加熱成形された帯状体と封着関係にある覆い帯状体とを含み、
前記加熱成形された帯状体と前記覆い帯状体の各々は酸素障壁材料を含み、かつ、
前記加熱成形された帯状体と前記覆い帯状体との少なくとも１つは酸素スカベンジャーを含むパッケージ。
【請求項２】
前記パッケージが保管されるスリーブを含む請求項１に記載のパッケージ。
【請求項３】
前記パッケージを開封するための手段を含む請求項１に記載のパッケージ。
【請求項４】
前記パッケージを開封するための前記手段は、
ａ）前記パッケージのエッジに配置されるテアノッチと、
ｂ）前記パッケージの角に配置されるプルタブと、
ｃ）前記パッケージにわたり横方向に延長するテアストリップと、
ｄ）前記パッケージにわたり横方向に延長するプラスチック再閉鎖可能ファスナとからなるグループから選択される請求項３に記載のパッケージ。
【請求項５】
前記パッケージを吊り下げるための手段を含む請求項１に記載のパッケージ。
【請求項６】
人間および／または機械読取り可能な一意の識別子を使用して前記パッケージを識別するための手段を含む請求項１に記載のパッケージ。
【請求項７】
前記パッケージを識別するための前記手段は、
ａ）ＲＦＩＤタグと、
ｂ）ＥＡＳタグと、
ｃ）印刷バーコードとからなるグループから選択される請求項６に記載のパッケージ。
【請求項８】
前記光データ記憶媒体がいつ不活性となったかを視覚的に決定するための手段を含む請求項１に記載のパッケージ。
【請求項９】
前記光データ記憶媒体がいつ不活性となったかを視覚的に決定するための前記手段は、前記加熱成形された帯状体と前記覆い帯状体との少なくとも１つに配置された窓を含み、前記窓は前記光データ記憶媒体が読取り不可能となったときに指標となる色を与えるように構成されている請求項８に記載のパッケージ。
【請求項１０】
前記パッケージは複数のエッジを有し、かつ、前記加熱成形された帯状体および前記覆い帯状体は、前記パッケージの前記エッジから離れて間隔を空けられた前記パッケージの部分において一緒に封着されている請求項１に記載のパッケージ。
【請求項１１】
前記加熱成形された帯状体および前記覆い帯状体は、前記光データ記憶媒体に隣接する前記パッケージの部分において一緒に封着されている請求項１０に記載のパッケージ。
【請求項１２】
前記加熱成形された帯状体および前記覆い帯状体の少なくとも１つは印刷識別印を含む請求項１に記載のパッケージ。
【請求項１３】
前記加熱成形された帯状体の少なくとも一部と前記覆い帯状体との間で、前記パッケージに配置された少なくとも１つのチャンネルを含む請求項１に記載のパッケージ。
【請求項１４】
前記酸素障壁は、
ｉ）エチレン／ビニルアルコールコポリマーと、
ｉｉ）二塩化ポリビニリデンと、
ｉｉｉ）塩化ビニリデン／メチルアクリレートコポリマーと、
ｉｖ）ポリアミドと、
ｖ）ポリエステルと、
ｖｉ）ポリアクリロニトリルと、
ｖｉｉ）金属箔と、
ｖｉｉｉ）金属蒸着されたポリエチレンテレフタレートと、
ｉｘ）金属蒸着されたポリアミドと、
ｘ）金属蒸着されたポリプロピレンと、
ｘｉ）ＳｉＯｘコーティングと、
ｘｉｉ）ＡｌＯｘコーティングとからなるグループから選択される材料である請求項１に記載のパッケージ。
【請求項１５】
前記酸素スカベンジャーは、
ｉ）酸化可能な有機化合物および遷移金属触媒と、
ｉｉ）エチレン性不飽和炭化水素および遷移金属触媒と、
ｉｉｉ）ＵＶスペクトルにおいて吸収を有するカルボニル化合物、光還元可能な染料、またはキノンの還元体と、
ｉｖ）環式オレフィン懸垂基、オレフィン懸垂基をポリマーの主鎖に結合している結合基、およびポリマーの主鎖を有するポリマーと、
ｖ）エチレンと延伸された環式アルキレンとのコポリマーと、
ｖｉ）エチレン／ビニルアラルキルコポリマーと、
ｖｉｉ）アスコルべートと、
ｖｉｉｉ）イソアスコルべートと、
ｉｘ）亜硫酸塩と、
ｘ）遷移金属の単純金属もしくは塩、または化合物、錯体、もしくはキレートを含む遷移金属触媒およびアスコルべートと、
ｘｉ）ポリカルボン酸、サリチル酸、もしくはポリアミンの遷移金属錯体またはキレートと、
ｘｉｉ）タンニンと、
ｘｉｉｉ）還元された金属と、
ｘｉｖ）少なくとも１つのシクロヘキセン基を有し、ジオール、ヒドロキシ化合物、またはポリヒドロキシ化合物の少なくとも１つとのテトラヒドロフタル酸無水物の反応から調製されたポリマーまたはオリゴマー、および遷移金属の塩、化合物、または錯体と、
ｘｖ）少なくとも１つのシクロヘキセン基を有し、１つのエステル官能基を有する１つまたは複数の化合物とのテトラヒドロベンジルアルコールの反応から調製されたポリマーまたはオリゴマー、および遷移金属の塩、化合物、または錯体とからなるグループから選択される材料である請求項１に記載のパッケージ。
【請求項１６】
ａ）空洞を有する加熱成形された熱可塑性帯状体と、
ｂ）前記加熱成形された熱可塑性帯状体の前記空洞内に配置された光データ記憶媒体と、
ｃ）前記加熱成形された熱可塑性帯状体と前記パッケージの周囲に沿って合同関係になるように前記光データ記憶媒体上かつ前記加熱成形された熱可塑性帯状体上に配置された非成形熱可塑性覆い帯状体であって、周囲封着は前記パッケージの周囲に沿って前記加熱成形された熱可塑性帯状体と前記非成形熱可塑性覆い帯状体を結合する覆い帯状体とを含み、
前記加熱成形された帯状体と前記覆い帯状体との各々は酸素障壁材料を含み、かつ、前記加熱成形された熱可塑性帯状体と前記熱可塑性覆い帯状体との少なくとも１つは酸素スカベンジャーを含むパッケージ。
【請求項１７】
前記酸素障壁は、
ｉ）エチレン／ビニルアルコールコポリマーと、
ｉｉ）二塩化ポリビニリデンと、
ｉｉｉ）塩化ビニリデン／メチルアクリレートコポリマーと、
ｉｖ）ポリアミドと、
ｖ）ポリエステルと、
ｖｉ）ポリアクリロニトリルと、
ｖｉｉ）金属箔と、
ｖｉｉｉ）金属蒸着されたポリエチレンテレフタレートと、
ｉｘ）金属蒸着されたポリアミドと、
ｘ）金属蒸着されたポリプロピレンと、
ｘｉ）ＳｉＯｘコーティングと、
ｘｉｉ）ＡｌＯｘコーティングとからなるグループから選択される材料である請求項１６に記載のパッケージ。
【請求項１８】
前記酸素スカベンジャーは、
ｉ）酸化可能な有機化合物および遷移金属触媒と、
ｉｉ）エチレン性不飽和炭化水素および遷移金属触媒と、
ｉｉｉ）ＵＶスペクトルにおいて吸収を有するカルボニル化合物、光還元可能な染料、またはキノンの還元体と、
ｉｖ）環式オレフィン懸垂基、オレフィン懸垂基をポリマーの主鎖に結合している結合基、およびポリマーの主鎖を有するポリマーと、
ｖ）エチレンと延伸された環式アルキレンとのコポリマーと、
ｖｉ）エチレン／ビニルアラルキルコポリマーと、
ｖｉｉ）アスコルべートと、
ｖｉｉｉ）イソアスコルべートと、
ｉｘ）亜硫酸塩と、
ｘ）遷移金属の単純金属もしくは塩、または化合物、錯体、もしくはキレートを含む遷移金属触媒およびアスコルべートと、
ｘｉ）ポリカルボン酸、サリチル酸、もしくはポリアミンの遷移金属錯体またはキレートと、
ｘｉｉ）タンニンと、
ｘｉｉｉ）還元された金属と、
ｘｉｖ）少なくとも１つのシクロヘキセン基を有し、ジオール、ヒドロキシ化合物、またはポリヒドロキシ化合物の少なくとも１つとのテトラヒドロフタル酸無水物の反応から調製されたポリマーまたはオリゴマー、および遷移金属の塩、化合物、または錯体と、
ｘｖ）少なくとも１つのシクロヘキセン基を有し、１つのエステル官能基を有する１つまたは複数の化合物とのテトラヒドロベンジルアルコールの反応から調製されたポリマーまたはオリゴマー、および遷移金属の塩、化合物、または錯体とからなるグループから選択される材料である請求項１６に記載のパッケージ。
【請求項１９】
ａ）第１の表面および第２の表面を有する支持部材と、
ｂ）前記支持部材の前記第１の表面上に配置された光データ記憶媒体と、
ｃ）前記光データ記憶媒体上に配置された覆い帯状体とを含み、
前記覆い帯状体は、前記光データ記憶媒体の形状に実質的に従うように前記光データ記憶媒体を覆って掛けられ、
前記覆い帯状体は、前記光データ記憶媒体の周辺の外の位置において封着を形成するために前記支持部材の前記第１の表面に封着され、
前記支持部材と前記覆い帯状体との各々は酸素障壁材料を含み、かつ、
前記支持部材と前記覆い帯状体との少なくとも１つは酸素スカベンジャーを含むパッケージ。
【請求項２０】
前記酸素障壁は、
ｉ）エチレン／ビニルアルコールコポリマーと、
ｉｉ）二塩化ポリビニリデンと、
ｉｉｉ）塩化ビニリデン／メチルアクリレートコポリマーと、
ｉｖ）ポリアミドと、
ｖ）ポリエステルと、
ｖｉ）ポリアクリロニトリルと、
ｖｉｉ）金属箔と、
ｖｉｉｉ）金属蒸着されたポリエチレンテレフタレートと、
ｉｘ）金属蒸着されたポリアミドと、
ｘ）金属蒸着されたポリプロピレンと、
ｘｉ）ＳｉＯｘコーティングと、
ｘｉｉ）ＡｌＯｘコーティングとからなるグループから選択される材料である請求項１９に記載のパッケージ。
【請求項２１】
前記酸素スカベンジャーは、
ｉ）酸化可能な有機化合物および遷移金属触媒と、
ｉｉ）エチレン性不飽和炭化水素および遷移金属触媒と、
ｉｉｉ）ＵＶスペクトルにおいて吸収を有するカルボニル化合物、光還元可能な染料、またはキノンの還元体と、
ｉｖ）環式オレフィン懸垂基、オレフィン懸垂基をポリマーの主鎖に結合している結合基、およびポリマーの主鎖を有するポリマーと、
ｖ）エチレンと延伸された環式アルキレンとのコポリマーと、
ｖｉ）エチレン／ビニルアラルキルコポリマーと、
ｖｉｉ）アスコルべートと、
ｖｉｉｉ）イソアスコルべートと、
ｉｘ）亜硫酸塩と、
ｘ）遷移金属の単純金属もしくは塩、または化合物、錯体、もしくはキレートを含む遷移金属触媒およびアスコルべートと、
ｘｉ）ポリカルボン酸、サリチル酸、もしくはポリアミンの遷移金属錯体またはキレートと、
ｘｉｉ）タンニンと、
ｘｉｉｉ）還元された金属と、
ｘｉｖ）少なくとも１つのシクロヘキセン基を有し、ジオール、ヒドロキシ化合物、またはポリヒドロキシ化合物の少なくとも１つとのテトラヒドロフタル酸無水物の反応から調製されたポリマーまたはオリゴマー、および遷移金属の塩、化合物、または錯体と、
ｘｖ）少なくとも１つのシクロヘキセン基を有し、１つのエステル官能基を有する１つまたは複数の化合物とのテトラヒドロベンジルアルコールの反応から調製されたポリマーまたはオリゴマー、および遷移金属の塩、化合物、または錯体とからなるグループから選択される材料である請求項１９に記載のパッケージ。
【請求項２２】
ａ）空洞を有する加熱成形された帯状体と、
ｂ）前記加熱成形された帯状体の前記空洞内に配置された光データ記憶媒体と、
ｃ）前記光データ記憶媒体上かつ前記加熱成形された帯状体上に配置され、かつ、前記加熱成形された帯状体に対して封着関係にある覆い帯状体と、
ｄ）前記光データ記憶媒体の少なくとも一部上に配置された酸素スカベンジャーとを含み、
前記加熱成形された帯状体と前記覆い帯状体との各々は酸素障壁材料を含むパッケージ。
【請求項２３】
ａ）空洞を有する加熱成形された熱可塑性帯状体と、
ｂ）前記加熱成形された熱可塑性帯状体の前記空洞内に配置された光データ記憶媒体と、
ｃ）加熱成形された熱可塑性帯状体とパッケージの周囲に沿って合同関係になるように前記光データ記憶媒体上かつ前記加熱成形された熱可塑性帯状体上に配置された非成形熱可塑性覆い帯状体であって、周囲封着はパッケージの周囲に沿って前記加熱成形された熱可塑性帯状体と前記非成形熱可塑性覆い帯状体を結合する帯状体と、
ｄ）前記光データ記憶媒体の少なくとも一部上に配置された酸素スカベンジャーを含み、
前記加熱成形された帯状体と前記覆い帯状体との各々は酸素障壁材料を含むパッケージ。
【請求項２４】
ａ）第１の表面および第２の表面を有する支持部材と、
ｂ）前記支持部材の前記第１の表面上に配置された光データ記憶媒体と、
ｃ）前記光データ記憶媒体上に配置された覆い帯状体と、
ｄ）前記光データ記憶媒体の少なくとも一部上に配置された酸素スカベンジャーとを含み、
前記覆い帯状体は、前記光データ記憶媒体の形状に実質的に従うように前記光データ記憶媒体を覆って掛けられ、
前記覆い帯状体は、前記光データ記憶媒体の周辺の外の位置において封着を形成するために前記支持部材の前記第１の表面に封着され、かつ、
前記支持部材と前記覆い帯状体との各々は酸素障壁材料を含むパッケージ。
【発明の詳細な説明】
【技術分野】
【０００１】
本発明は利用寿命限定光データ記憶媒体のための包装に関する。
【背景技術】
【０００２】
ＣＤ（コンパクトディスク）、ＤＶＤ（デジタルビデオディスクまたはデジタル多目的ディスク）、ＤＶＤ−ＲＯＭ、およびＣＤＲＯＭなどの光データ記憶媒体はソフトウェア、ゲーム、映画などを販売するために使用されている。例えば１５時間と４８時間の間の限られた時間の長さにわたり再生可能である利用寿命限定版が、例えばＦｌｅｘｐｌａｙ  Ｔｅｃｈｎｏｌｏｇｉｅｓ，Ｉｎｃ．およびＳｐｅｃｔｒａ−Ｄｉｓｃにより開発されている。この技術の実施例は、全て参照により全体が本明細書に組み込まれている米国特許第５，８１５，４８４号（Ｓｍｉｔｈ他）、第６，３３８，９３３号（Ｌａｗａｎｄｙ他）、第６，３４３，０６３号（Ｒｏｌｌｈａｕｓ他）、および第６，０１１，７７２号（Ｒｏｌｌｈａｕｓ他）に開示されている。これらの技術は、例えば返却される必要のない映画の購入時点広告を可能にする。なぜなら、限られた時間の後、ディスクは最早再生しない、すなわち、不活性になるからである。
【０００３】
利用寿命限定ディスクを作製する１つの方法は、透明な還元された（ロイコの）形になった染料を含む層をディスク内に組み込むことである。ある時間だけ酸素に、例えば、空気から酸素に露出されると、ロイコ染料は酸化し、光学的に色が付くか、または黒ずむ。この化学反応および結果としての色彩変化は、データを読むために使用される検出用レーザビームを効果的に遮断する。これは、例えばＤＶＤ−５、ＤＶＤ−９、ＤＶＤ−１８などを含む様々なＤＶＤフォーマットに組み込むことができる。他の技術は、酸素の存在のもとで反射性金属コーティングを酸化または腐食させる化学薬品を組み込むことにより限られた再生寿命を達成する。続いて、酸化または腐食した金属コーティングは、データを読むために使用される検出用レーザビームを正確に反射することができる。
【０００４】
６カ月と１２カ月の間の在庫寿命は、このような酸素に敏感な光ディスクに対して非常に望ましい。残念ながら、精密にガスが充填された、および／または真空となっている高度に障壁的なパッケージにおいてさえ、レーザビームを遮断するために使用されている染料を酸化するために十分な酸素が存在する。酸素は、ポリカーボネート（ＰＣ）ディスク内に溶存する、および／またはパッケージ内の小さな上部空間に捕捉されることが可能である。典型的な光ディスクの厚さおよびＯＴＲ（酸素透過率）のために、不活性ガスの充填によりＰＣを遊離酸素除去するためには約２４時間が必要であり、これは非現実的な包装方法である。酸素の存在を制御および制限することの失敗は、光ディスクの早期の使用不能化をもたらす。光ディスクの製造においてポリカーボネートが現在最適な材料である一方、溶存酸素および酸素の拡散の問題は光ディスクを製造するために使用することができる他のいずれのポリマーにおいても存在する。光ディスクの製造のために選択することができるポリマーはアクリルのポリマーおよびコポリマー、ポリアミド、ポリメチルペンテン、エチレン／ノルボルネンコポリマー、ポリエステル、およびスチレンポリマーを含む。
【０００５】
流通を介して合理的な在庫寿命を有するために、これらの限られた寿命のディスクは酸素排除包装から大きく利益を受けることができる。
【発明の開示】
【発明が解決しようとする課題】
【０００６】
酸素排除包装の１つの形態は酸素排除小袋である。これはＭＡＰ（修正雰囲気）パッケージにおいて使用することができるが、残念ながら、費用がかかり、かつ、ＣＤまたはＤＶＤなどの典型的に薄い光データ記憶媒体を含むパッケージに収容することは美観上困難となり得る。
【課題を解決するための手段】
【０００７】
加熱成形された（好ましくは底部の）帯状体と覆い（好ましくは非成形かつ好ましくは頂部の）帯状体のいずれか、または双方に酸素スカベンジャーを付加的に組み込んでいる、加熱成形パッケージの形の真空またはＭＡＰ（修正雰囲気）主パッケージが、光データ記憶媒体の意図された寿命が到達される前に、媒体の早期の利用不能化または不活性化を防止できることが現在見出されている。好ましいパッケージフォーマットが真空パッケージであるため、フィルム内に比較的均一に分散された酸素スカベンジャーは小袋などよりも好まれる。これは、緊密な真空パッケージにおいて、物理的に局在化し、したがって、パッケージ内の小袋位置に機能的に限定された酸素排除活動を、小袋が提供する傾向にあるからである。対照的に、例えば連続的または準連続的な層またはコーティングとして、主包装材料の少なくとも一部を物理的に形成する酸素排除フィルムは、スカベンジャーが存在するパッケージのどの部分においても酸素を効果的に排除する。
【０００８】
発明者は、上述のタイプのパッケージが層またはコーティングの形になった酸素スカベンジャーを、好ましくはいくつかの他の有用な機能の少なくとも１つと共に、組み込めることを見出している。これらの機能は、パッケージを開封するための手段、パッケージを識別するための手段（認証）、盗難防止機能、追跡および／または在庫管理の手段、および印刷（グラフィック）を含む。
【０００９】
第１の態様において、パッケージは空洞を有する加熱成形帯状体、加熱成形帯状体の空洞内に配置された光データ記憶媒体、および光データ記憶媒体上および加熱成形帯状体上に配置され、かつ、加熱成形帯状体と封着関係にある覆い帯状体を含み、加熱成形帯状体と覆い帯状体の各々は酸素障壁材料を含み、かつ、加熱成形帯状体と覆い帯状体の少なくとも１つは酸素スカベンジャーを含む。
【００１０】
第２の態様において、パッケージは空洞を有する加熱成形熱可塑性帯状体、加熱成形熱可塑性帯状体の空洞内に配置された光データ記憶媒体、および加熱成形熱可塑性帯状体と非成形熱可塑性覆い帯状体がパッケージの周囲に沿って合同関係にあるように光データ記憶媒体上かつ加熱成形熱可塑性帯状体上に配置された非成形熱可塑性覆い帯状体を含み、周囲封着はパッケージの周囲に沿って加熱成形熱可塑性帯状体と非成形熱可塑性覆い帯状体を結合し、加熱成形帯状体と覆い帯状体の各々は酸素障壁材料を含み、かつ、加熱成形帯状体と覆い帯状体の少なくとも１つは酸素スカベンジャーを含む。
【００１１】
第３の態様において、パッケージは第１の表面および第２の表面を有する支持部材、支持部材の第１の表面上に配置された光データ記憶媒体、および光データ記憶媒体上に配置された覆い帯状体を含み、覆い帯状体は、覆い帯状体が光データ記憶媒体の形状に実質的に従うように光データ記憶媒体を覆って掛けられ、覆い帯状体は、光データ記憶媒体の周辺の外の位置において封着を形成するために支持部材の第１の表面に封着され、支持部材と覆い帯状体の各々は酸素障壁材料を含み、かつ、支持部材と覆い帯状体の少なくとも１つは酸素スカベンジャーを含む。
【００１２】
第４の態様において、パッケージは空洞を有する加熱成形帯状体、加熱成形帯状体の空洞内に配置された光データ記憶媒体、光データ記憶媒体上かつ加熱成形帯状体上に配置され、かつ、加熱成形帯状体に対して封着関係にある覆い帯状体、および光データ記憶媒体の少なくとも一部上に配置された酸素スカベンジャーを含み、加熱成形帯状体と覆い帯状体の各々は酸素障壁材料を含む。
【００１３】
第５の態様において、パッケージは空洞を有する加熱成形熱可塑性帯状体、加熱成形熱可塑性帯状体の空洞内に配置された光データ記憶媒体、加熱成形熱可塑性帯状体と非成形熱可塑性覆い帯状体がパッケージの周囲に沿って合同関係にあるように光データ記憶媒体上かつ加熱成形熱可塑性帯状体上に配置された非成形熱可塑性覆い帯状体であって、周囲封着はパッケージの周囲に沿って加熱成形熱可塑性帯状体と非成形熱可塑性覆い帯状体を結合する帯状体、および光データ記憶媒体の少なくとも一部上に配置された酸素スカベンジャーを含み、加熱成形帯状体と覆い帯状体の各々は酸素障壁材料を含む。
【００１４】
第６の態様において、パッケージは第１の表面および第２の表面を有する支持部材、支持部材の第１の表面上に配置された光データ記憶媒体、および光データ記憶媒体上に配置された覆い帯状体、および光データ記憶媒体の少なくとも一部上に配置された酸素スカベンジャーを含み、覆い帯状体は覆い帯状体が光データ記憶媒体の形状に実質的に従うように光データ記憶媒体を覆って掛けられ、覆い帯状体は光データ記憶媒体の周辺の外の位置において封着を形成するために支持部材の第１の表面に封着され、支持部材と覆い帯状体の各々は酸素障壁材料を含む。
【００１５】
第７の態様において、パッケージを作製する方法は加熱成形可能な帯状体を設ける工程、光データ記憶媒体を設ける工程、覆い帯状体を設ける工程、空洞を設けるために加熱成形可能な帯状体を加熱成形する工程、加熱成形された空洞内に光データ記憶媒体を定置する工程、光データ記憶媒体および加熱成形可能な帯状体を覆い帯状体で覆う工程、および加熱成形された帯状体に覆い帯状体を封着する工程を含み、加熱成形可能な帯状体と覆い帯状体の各々は酸素障壁材料を含み、かつ、加熱成形可能な帯状体と覆い帯状体の少なくとも１つは酸素スカベンジャーを含む。
【００１６】
第８の態様において、パッケージを作製する方法は加熱成形可能な熱可塑性帯状体を設ける工程、光データ記憶媒体を設ける工程、非成形熱可塑性覆い帯状体を設ける工程、空洞を設けるために加熱成形可能な熱可塑性帯状体を加熱成形する工程、加熱成形空洞内に光データ記憶媒体を定置する工程、光データ記憶媒体および加熱成形帯状体を覆い帯状体で覆う工程、および加熱成形された熱可塑性帯状体と非成形熱可塑性覆い帯状体がパッケージの周囲に沿って合同関係になるように加熱成形された帯状体に非成形熱可塑性覆い帯状体を封着する工程を含み、周囲の封着は、加熱成形された熱可塑性帯状体と非成形熱可塑性覆い帯状体をパッケージの周囲に沿って結合し、加熱成形可能な帯状体と覆い帯状体の各々は酸素障壁材料を含み、かつ、加熱成形可能な帯状体と覆い帯状体の少なくとも１つは酸素スカベンジャーを含む。
【００１７】
第９の態様において、パッケージを作製する方法は第１の表面および第２の表面を有する支持部材を設ける工程、光データ記憶媒体を設ける工程、覆い帯状体を設ける工程、支持部材の第１の表面上に光データ記憶媒体を定置する工程、覆い帯状体を加熱する工程、覆い帯状体が光データ記憶媒体の形状に実質的に従うように光データ記憶媒体を覆って覆い帯状体を掛ける工程、および光データ記憶媒体の周辺の外の位置において封着を形成するために覆い帯状体を支持部材の第１の表面に封着する工程を含み、支持部材と覆い帯状体の各々は酸素障壁材料を含み、かつ、支持部材と覆い帯状体の少なくとも１つは酸素スカベンジャーを含む。
【００１８】
これらの第７、第８、および第９の態様において、加熱成形された空洞内または支持部材の第１の表面上に光データ記憶媒体を定置する工程と、加熱成形された帯状体または支持部材の第１の表面に覆い帯状体を封着する工程の間に、パッケージは選択により真空にするか、またはガスを充填するか、または真空にした後にガスを充填するか、または真空にした後にガスを充填してから真空にすることができる。
【００１９】
第１０の態様において、パッケージを作製する方法は加熱成形可能な帯状体を設ける工程、光データ記憶媒体を設ける工程、覆い帯状体を設ける工程、酸素スカベンジャーを設ける工程、空洞を設けるために加熱成形可能な帯状体を加熱成形する工程、加熱成形された空洞内に光データ記憶媒体を定置する工程、光データ記憶媒体の少なくとも一部上に酸素スカベンジャーを配置する工程、光データ記憶媒体および加熱成形可能な帯状体を覆い帯状体で覆う工程、および加熱成形可能な帯状体に覆い帯状体を封着する工程を含み、加熱成形可能な帯状体と覆い帯状体の各々は酸素障壁材料を含む。
【００２０】
第１１の態様において、パッケージを作製する方法は加熱成形可能な熱可塑性帯状体を設ける工程、光データ記憶媒体を設ける工程、非成形熱可塑性覆い帯状体を設ける工程、酸素スカベンジャーを設ける工程、空洞を設けるために加熱成形可能な熱可塑性帯状体を加熱成形する工程、加熱成形された空洞内に光データ記憶媒体を定置する工程、光データ記憶媒体の少なくとも一部上に酸素スカベンジャーを配置する工程、光データ記憶媒体および加熱成形された帯状体を覆い帯状体で覆う工程、および加熱成形熱可塑性帯状体と非成形熱可塑性覆い帯状体がパッケージの周囲に沿って合同関係になるように加熱成形された帯状体に非成形熱可塑性覆い帯状体を封着する工程を含み、周囲の封着は加熱成形熱可塑性帯状体と非成形熱可塑性覆い帯状体をパッケージの周囲に沿って結合し、加熱成形可能な帯状体と覆い帯状体の各々は酸素障壁材料を含む。
【００２１】
第１２の態様において、パッケージを作製する方法は第１の表面および第２の表面を有する支持部材を設ける工程、光データ記憶媒体を設ける工程、覆い帯状体を設ける工程、酸素スカベンジャーを設ける工程、支持部材の第１の表面上に光データ記憶媒体を定置する工程、光データ記憶媒体の少なくとも一部上に酸素スカベンジャーを配置する工程、覆い帯状体を加熱する工程、覆い帯状体が光データ記憶媒体の形状に実質的に従うように光データ記憶媒体および酸素スカベンジャーを覆って覆い帯状体を掛ける工程、および光データ記憶媒体の周辺の外の位置において封着を形成するために覆い帯状体を支持部材の第１の表面に封着する工程を含み、支持部材と覆い帯状体の各々は酸素障壁材料を含み、かつ、支持部材と覆い帯状体の少なくとも１つは酸素スカベンジャーを含む。
【００２２】
これらの第１０、第１１、および第１２の態様において、光データ記憶媒体の少なくとも一部上に酸素スカベンジャーを配置する工程と覆い帯状体を加熱成形された帯状体または支持部材の第１の表面に封着する工程の間に、パッケージは選択により真空にするか、またはガスを充填するか、または真空にした後にガスを充填するか、または真空にした後にガスを充填してから真空にすることができる。
【００２３】
添付の図面を参照して以下に本発明の好ましい実施形態の詳細な説明を記す。
【００２４】
定義
本発明およびその関連する方法は単一のタイプの光学的記憶媒体に関して説明することができるが、当業者はこれらの教示が他のタイプの利用寿命限定光学的記憶媒体にも適用できることを直ちに理解されよう。
【００２５】
本明細書における「電子的物品監視」および「ＥＡＳ」は、商店の出口にある検出区画に進入すると警告を発生させる、各物品に装着された活性タグを使用する小売店からの商品の盗難を抑制するための商業的に利用可能なシステムを指す。ＥＡＳタグは商店の出口に位置されたＥＡＳ保安デバイスにより放射される信号に反応する。特定の信号により検出されると、ＥＡＳタグはＥＡＳ受信機により検出可能であり、続いて、警告を活性化させることができる信号を発するように構成されている。好ましい盗難防止デバイスは、主パッケージに一体化され、パッケージ全体の安全性を高めている。空間的磁気検出および新規なタグのためのＲＦ、マイクロ波、高調波、および音響磁気または磁気機械の技術を含めて、いくつかのタイプのＥＡＳシステムが現在使用されている。ＥＡＳ技術は、例えば、参照により全てが全体を本明細書に組み込まれている米国特許第５７４４７９１号（Ｉｓａａｃ他）、米国特許第５８５９５８７号（Ａｌｉｃｏｔ他）、米国特許５８８４４２５号（Ｂａｌｄｗｉｎ）に開示されている。「Ｆｌｙｉｎｇ  Ｎｕｌｌ」技術と呼ばれる場合もあるＷＯ第９６／３１７９０号に記載される技術は、ゼロ磁気を含む空間の領域を磁気材料が通過する際の磁気材料の挙動の利用に基く。１つまたは複数の磁気要素を含む受動的タグは遠隔的に読み出し可能なデータ担体として機能することができ、要素の数および空間的配列は独特なパッケージ識別子などの情報を提示する。
【００２６】
本明細書における「エチレン／アルファオレフィンコポリマー（ＥＡＯ）」は、ブテン−１、ヘキセン−１、オクテン−１などのＣ４からＣ１０までのアルファオレフィンから選択された１つまたは複数の共重合用単量体とエチレンとのコポリマーを指し、このコポリマー中で、コポリマーの分子はエチレンと反応したアルファオレフィンから生じる比較的少数の側鎖の枝を持つ長いポリマーの鎖を含む。この分子構造は従来の高圧の低いか、または中程度の密度のポリエチレンと対照され、これらのポリエチレンはＥＡＯに関して高度に枝分かれし、かつ、この高圧ポリエチレンは長い側鎖と短い側鎖の双方を含む。ＥＡＯは、Ｄｏｗにより供給されているＤＯＷＬＥＸ（登録商標）またはＡＴＴＡＮＥ（登録商標）樹脂、Ｅｘｘｏｎにより供給されているＥＳＣＯＲＥＮＥ（登録商標）またはＥＸＣＥＥＤ（登録商標）樹脂などの線形媒体密度ポリエチレン（ＬＭＤＰＥ）、線形低密度ポリエチレン（ＬＬＤＰＥ）、および非常に低密度および超低密度のポリエチレン（ＶＬＤＰＥおよびＵＬＤＰＥ）、ならびに、三井石油化学工業株式会社により供給されているＴＡＦＭＥＲ（登録商標）樹脂、Ｅｘｘｏｎにより供給されているＥＸＡＣＴ（登録商標）樹脂、またはＤｏｗ  Ｃｈｅｍｉｃａｌ  Ｃｏｍｐａｎｙにより供給されている長鎖の枝が付いた（ＨＥＡＯ）ＡＦＦＮＩＴＹ（登録商標）樹脂、またはＤｕＰｏｎｔ  Ｄｏｗ  Ｅｌａｓｔｏｍｅｒｓにより供給されているＥＮＧＡＧＥ（登録商標）樹脂などの線形均質エチレン／アルファオレフィンコポリマー（ＨＥＡＯ）などの不均質材料を含む。
【００２７】
本明細書における「エチレン均質ポリマーまたはコポリマー」は、低密度ポリエチレンなどのエチレン均質ポリマー、本明細書に定義されているエチレン／アルファオレフィンコポリマー、エチレン／ビニルアセテートコポリマー、エチレン／アルキルアクリレートコポリマー、エチレン／（メタ）アクリル酸コポリマー、またはイオノマー樹脂を指す。
【００２８】
本明細書における「ＥＶＯＨ」は、一般にエチレン／ビニルアセテートコポリマーのエチレン／ビニルエステルコポリマーの鹸化製品であって、エチレンの含有量は典型的にコポリマーの２０と６０モル％の間であり、鹸化の程度は一般に８５％より高く、好ましくは９５％より高い製品を指す。
【００２９】
本明細書における「高密度ポリエチレン（ＨＤＰＥ）」は、０．９４と０．９６５ｇ／ｃｍ３の間の密度を有するポリエチレンを指す。
【００３０】
本明細書における「線形低密度ポリエチレン（ＬＬＤＰＥ）」は、０．９１７と０．９２５ｇ／ｃｍ３の間の密度を有するポリエチレンを指す。
【００３１】
本明細書における「線形中程度密度ポリエチレン（ＬＭＤＰＥ）」は、０．９２６ｇ／ｃｍ３と０．９３９ｇ／ｃｍ３の間の密度を有するポリエチレンを指す。
【００３２】
本明細書における「酸素障壁」は、低い酸素透過率を持つ、すなわち、酸素に対する高い障壁を持つポリマーまたは金属の材料を指す。酸素スカベンジャーの不在の状態における障壁の酸素透過性は、ＡＳＴＭ  Ｄ３９８５に従って厚さ１ミル、２５℃、相対湿度０％で試験された５００ｃｍ３Ｏ２／ｍ２・日・気圧未満であることが好ましく、より好ましくは１００未満、より好ましくは５０未満、かつ、最も好ましくは、１０未満、５未満、および１ｃｍ３Ｏ２／ｍ２・日・気圧未満などの２５ｃｍ３Ｏ２／ｍ２・日・気圧未満である。低酸素透過率を持つポリマー材料の例は、エチレン／ビニルアルコールコポリマー（ＥＶＯＨ）、二塩化ポリビニリデン（ＰＶＤＣ）、塩化ビニリデン／メチルアクリレートコポリマーなどの塩化ビニリデンコポリマー、ポリアミド、ポリエステル、（Ｂａｒｅｘ（登録商標）樹脂として入手可能な）ポリアクリロニトリル、またはそれらの混合物である。酸素障壁材料は、透過のためのねじれた経路（例えば、ナノ複合物）を創出する高アスペクト比フィルタをさらに含むことができる。材料の酸素障壁は酸素スカベンジャーの組み込みによりさらに強化することができる。代案として、パッケージに低い酸素透過を供給するために、金属箔、金属蒸着された基板（例えば、金属蒸着されたポリエチレンテレフタレート（ＰＥＴ）、金属蒸着されたポリアミド、または金属蒸着されたポリプロピレン）、またはＳｉＯｘまたはＡｌＯｘ化合物を含むコーティングを使用できる。
【００３３】
本明細書における「酸素スカベンジャー」などは、与えられた環境からの酸素を消費し、枯渇させ、またはこれと反応することができる組成、化合物、連続もしくは非連続のフィルム層、またはコーティングなどを意味する。本明細書における「酸素スカベンジャー」は、米国特許第５，３５０，６２２号に開示されているスカベンジャーを含み、酸素排除の開始の方法はその全体が米国特許第５，２１１，８７５号に開示されている。双方の特許とも参照により全体が本明細書に組み込まれている。米国特許第５，３５０，６２２号によれば、酸素スカベンジャーはエチレン性不飽和炭化水素および遷移金属触媒で作られている。好ましいエチレン性不飽和炭化水素は置換されているか、または置換されていないかのいずれかとすることができる。本明細書において定義されているように、不置換エチレン性不飽和炭化水素は、少なくとも１つの脂肪族炭素−炭素二重結合を持ち、炭素と水素により１００％構成されているいずれかの化合物である。置換エチレン性不飽和炭化水素は、本明細書において、少なくとも１つの脂肪族炭素−炭素二重結合を持ち、炭素と水素により約５０％から９９％構成されているエチレン性不飽和炭化水素として定義されている。好ましい置換または不置換エチレン性不飽和炭化水素は分子当たり２つ以上のエチレン性不飽和基を有するものである。より好ましくは、３つ以上のエチレン性不飽和基、および１，０００重量平均分子量以上の分子量を有するポリマー化合物である。不置換エチレン性不飽和炭化水素は、ポリイソプレン（例えば、トランス−ポリイソプレン）およびそのコポリマー、（５０％以上の１，２微小構造を持つポリブタジエンとして定義されている）シスおよびトランス１，４−ポリブタジエン、１，２−ポリブタジエン、およびスチレン−ブタジエンコポリマーなどのそれらのコポリマーなどのジエンポリマーを含み、これらに限定されない。このような炭化水素は、ポリペンテナマ、ポリオクテナマ、および環式オレフィン複分解により調整された他のポリマー、スクアレンなどのジエンオリゴマー、さらに、ジシクロペンタジエン、ノルボルナジエン、５−エチルイデン−２−ノルボルネン、５−ビニル−２−ノルボルネン、４−ビニルシクロヘキセン、１，７−オクタジエン、または（共役または非共役の）２つ以上の炭素−炭素二重結合を含む、２つ以上の炭素−他のモノマーを含む他のモノマーも含む。置換エチレン性不飽和炭化水素の例は、エステル、カルボキシル酸、アルデヒド、エーテル、ケトン、アルコール、過酸化物、および／またはヒドロ過酸化物などの酸素含有部分を持つものを含むが、これらに限定されない。このような炭化水素の詳細な例は、炭素−炭素二重結合を含むモノマーから誘導されたポリエステルなどの縮合ポリマー、およびオレイン酸、リシノール酸、脱水リシノール酸、およびリノール酸、および例えばエステルなどのそれらの誘導体などの不飽和脂肪酸を含むが、これらに限定されない。このような炭化水素は、（メタ）アリル（メタ）アクリレートから誘導されたポリマーまたはコポリマーも含む。適する酸素排除ポリマーはトランス−エステル化により生成することができる。そのようなポリマーは、開示したところが完全に参照により本明細書に組み込まれている米国特許第５，８５９，１４５号（Ｃｈｉｎｇ他）（Ｃｈｅｖｒｏｎ  Ｒｅｓｅａｒｃｈ  ａｎｄ  Ｔｅｃｈｎｏｌｏｇｙ  Ｃｏｍｐａｎｙ）に開示されている。使用されている組成は、上述の置換または不置換エチレン性不飽和炭化水素の２つ以上の混合物も含む。１，０００以上の重量平均分子量が好ましい一方、より低い分子量を有するエチレン性不飽和炭化水素は、もしこれがフィルム形成ポリマーと調合されるか、またはポリマーの調合物であれば、使用可能である。室温で固体の透明層を形成するために適切であるエチレン性不飽和炭化水素は、本明細書に説明しているようにパッケージ内の酸素を排除するために好ましい。透明性が必要であるほとんどの実用例について、可視光の少なくとも５０％の透過を許容する層が好ましい。透明な酸素排除層を作製する時、室温では１，２−ポリブタジエンが有用である。例えば、１，２−ポリブタジエンはポリエチレンと同様の透明性、機械的特性、および加工の特徴を示すことができる。加えて、このポリマーは、酸素吸い込み能力のほとんど、または全てが消費された後でさえ、かつ、希釈性樹脂がほとんど、または全く存在しない時にさえ、透明性および機械的完全性を保持することが見出されている。さらに、１，２−ポリブタジエンは比較的高い酸素吸い込み能力を示し、一旦排除を開始すれば、比較的高い排除速度も示す。低温での酸素排除が所望される時は、１，４−ポリブタジエン、およびブタジエンとのスチレンの、およびイソプレンとのスチレンのコポリマーが有用である。このような組成は、１９９４年５月１０日にＳｐｅｅｒ他に発行され、かつ、開示したところが完全に参照により本明細書に組み込まれている米国特許第５，３１０，４９７号に開示されている。多くの場合において、上述のポリマーをエチレンのポリマーまたはコポリマーと調合することが望ましいことがある。本発明に関して使用できる他の酸素スカベンジャーは、参照により全体が本明細書に組み込まれている米国特許第５，９５８，２５４号（Ｒｏｏｎｅｙ）に開示されている。これらの酸素スカベンジャーは所定の条件下で還元される少なくとも１つの還元可能有機化合物を含み、化合物の還元された形は分子酸素により酸化可能であり、有機化合物の還元および／またはその後の酸化は遷移金属触媒の存在とは独立に起きる。還元可能な有機化合物は、好ましくは、キノン、光還元可能な染料、またはＵＶスペクトルにおいて吸収を有するカルボニル化合物である。
【００３４】
本発明に関して使用できる酸素スカベンジャーの追加の例はＰＣＴ特許出願ＷＯ第９９／４８９６３号（Ｃｈｅｖｒｏｎ  Ｃｈｅｍｉｃａｌ他）に開示されている。これらの酸素スカベンジャーは少なくとも１つのシクロヘキサン基または官能基を有するポリマーまたはオリゴマーを含む。これらの酸素スカベンジャーはポリマーの主鎖を有するポリマー、環式オレフィン懸垂基、およびオレフィン懸垂基をポリマーの主鎖に結合している結合基を含む。
【００３５】
本発明との使用のために適する酸素スカベンジャーの組成は、
（ａ）以下の図による置換されたシクロヘキセン官能基を含むポリマーまたは低分子量の材料であり、
【００３６】
【化１】
2005532963.tif 000003
ここで、Ａは水素またはメチル基とすることができ、Ｂ基の１つまたは２つのいずれかは、シクロヘキセン環を前記材料に結合させる異原子含有結合であり、かつ、残りのＢ基は水素またはメチル基である、
（ｂ）遷移金属触媒、および任意で、
（ｃ）光反応開始剤を含む。
【００３７】
本発明に関して使用できる酸素スカベンジャーの追加の例は、酸素を排除できるポリエステルおよびＥＭＣＭタイプの組成に向けられた米国特許第６２５４８０３号（Ｍａｔｔｈｅｗｓ他）および第６２５４８０４号（Ｍａｔｔｈｅｗｓ他）に開示されており、双方とも参照により全体が本明細書に組み込まれている。Ｍａｔｔｈｅｗｓ他の６２５４８０３号特許は、少なくとも１つのシクロヘキセン基を有するポリマーまたはオリゴマー、および遷移金属の塩、化合物、または錯体を含み、ポリマーまたはオリゴマーはジオール、ヒドロキシ化合物、またはポリヒドロキシ化合物の少なくとも１つとのテトラヒドロフタル酸無水物の反応から調製された組成を請求している。Ｍａｔｔｈｅｗｓ他の６２５４８０４号特許は少なくとも１つのシクロヘキセン基を有するポリマーまたはオリゴマー、および遷移金属の塩、化合物、または錯体を含み、ポリマーまたはオリゴマーは１つのエステル官能基を有する１つまたは複数の化合物とのテトラヒドロベンジルアルコールの反応から調製された組成を請求している。
【００３８】
本発明に関して有利に使用できる他の酸素スカベンジャーは、アスコルべート、イソアスコルべート、亜硫酸塩、アスコルべートおよび遷移金属触媒を含み、触媒は遷移金属の単純金属もしくは塩、または化合物、錯体、もしくはキレート、ポリカルボン酸、サリチル酸、またはポリアミンの遷移金属錯体またはキレート、タンニン、または鉄などの還元された金属を含む。
【００３９】
組成物は性質がポリマー的とすることができるか、または低分子量材料とすることができる。いずれの場合も、組成物はさらなるポリマーまたは他の添加物と調合することができる。低分子量材料の場合、材料は使用前に担体樹脂と化合させる可能性が非常に高い。パッケージの成形に使用される時に、酸素排除組成物は、上述のポリマーおよび１つの遷移金属触媒のみを含むことができる。
【００４０】
しかし、酸素排除特性の開始をさらに促進かつ制御するために、光反応開始剤は添加することができる。酸素排除組成物への光反応開始剤の添加または光反応開始剤の調合は、特に、加工中および保管中の組成物の早期の酸化を防止するために酸化防止剤が添加されている場合に好ましくなり得る。適する光反応開始剤は当業者に知られている。例えば、ＰＣＴ公報ＷＯ第９７／０７１６１号、ＷＯ第９７／４４３６４号、ＷＯ第９８／５１７５８号、およびＷＯ第９８／５１７５９号を参照されたい。適する光反応開始剤の詳細な例は、ベンゾフェノンおよびその誘導体であるメトキシベンゾフェノン、ジメトキシベンゾフェノン、ジメチルベンゾフェノン、４−フェニルベンゾペノン、ジフェノキシベンゾフェノン、アリロキシベンゾフェノン、ジアリロキシベンゾフェノン、ドデシロキシベンゾフェノン、ジベンゾスベロン、４，４’−ビス（４−イソプロピルフェノキシ）ベンゾフェノン、４−モルフォリノベンゾフェノン、４−アミノベンゾフェノン、トリベンゾイルトリフェニルベンゼン、トリオルオイルトリフェニルベンゼン、４，４’−ビス（ジメチルアミノ）ベンゾフェノン、アセトフェノンおよびその誘導体であるｏ−メトキシ−アセトフェノン、４’−メトキシアセトフェノン、バレロフェノン、ヘキサノフェノン、α−フェニル−ブチロフェノン、ｐ−モルフォリノプロピオフェノン、ベンゾインおよびその誘導体であるベンゾインメチルエーテル、ベンソインブチルエーテル、ベンゾインテトラヒドロピラニルエーテル、４−ｏ−モルフォリノデオキシベンゾイン、置換および不置換アントラキノン類、α−テトラロン、アセナフテンキノン、９−アセチルフェナトレン、２−アセチル−フェナントレン、１０−チオキサンテノン、３−アセチル−フェナントレン、３−アセチリンドール、９−フルオレノン、１−インダノン、１，３，５−トリアセチルベンゼン、チオキサンテン−９−オン、イソプロピルチオキサンテン−９−オン、キサンテン−９−オン、７−Ｈ−ベンズ［ｄｅ］アントラセン−７−オン、１’−アセトナフトン、２’−アセトナフトン、アセトナフトン、ベンズ［ａ］アントラセン−７，１２−ジオン、２，２−ジメトキシ−２−フェニルアセトフノン、α，α−ジエトキシアセトフェノン、α，α−ジブトキシアセトフェノン、４−ベンゾイル−４’−メチル（ジフェニル硫化物）などを含むが、これらに限定されない。Ｒｏｓｅ  Ｂｅｎｇａｌ、メチレンブルー、およびテトラフェニルポルフィンなどの単一の酸素発生増感剤、ならびに、ポリ（エチレン一酸化炭素）およびオリゴ［２−ヒドロキシ−２−メチル−１−［４−（１−メチルビニル）−フェニル］プロパノン］などのポリマー反応開始剤も使用できる。しかし、光反応開始剤は、それらが一般により迅速かつより効率的な開始をもたらすために好まれる。化学線の放射が使用される時、光反応開始剤は長波長においても開始をもたらすことができ、この波長は短波長よりも発生にさほど費用がかからず、かつ、有害な副作用も少ない。光反応開始剤が存在する時、この開始剤は、放射線に露光させると、本発明の組成物による酸素排除の開始を強化および／または促進できる。光反応開始剤の量は、ポリマー内に存在���る環の不飽和の数およびタイプ、使用されている放射線の波長および強度、使用されている酸化防止剤の性質および量、および使用されている光反応開始剤のタイプに依存し得る。光反応開始剤の量は、排除組成物がどのように使用されているかにも依存し得る。例えば、光反応開始剤含有組成物がフィルム層内にあり、かつ、他の層の下にあるそのフィルム層が使用されている放射線に対して幾分不透明であれば、より多くの開始剤が必要となる。しかし、ほとんどの実用例に対して使用される光反応開始剤の量は組成物総量の（重量で）約０．０１から約１０％の範囲にある。酸素排除は、本発明の組成物を含む物品を化学線または電子ビームの放射に露光させることにより開始させることができる。同様に、本発明における使用に適するものは、参照により全体が本明細書に組み込まれている２００１年７月３日に発行の米国特許第６，２５５，２４８号（Ｂａｎｓｌｅｂｅｎ他）の酸素スカベンジャーであり、この特許はエチレンと、延伸環アルキレン、好ましくは、シクロペンタンとのコポリマー、および遷移金属触媒を開示している。本発明に関して使用できる他の酸素スカベンジャーは、参照により全体が本明細書に組み込まれている２００１年４月１０日発行の米国特許第６，２１４，２５４号（Ｇａｕｔｈｉｅｒ他）の酸素スカベンジャーであり、この特許はエチレン／ビニルアラルキルコポリマーおよび遷移金属触媒を開示している。上記に示したように、酸素排除炭化水素は遷移金属触媒と組み合わされる。適する遷移金属触媒は、少なくとも２つの酸化状態の間で直ちに相互転換させることができるものである。好ましくは、触媒は遷移金属塩の形になっており、金属は周期表の第１、第２、または第３遷移系列から選択されている。適する金属は、マンガンＩＩまたはＩＩＩ、鉄ＩＩまたはＩＩＩ、コバルトＩＩまたはＩＩＩ、ニッケルＩＩまたはＩＩＩ、銅ＩまたはＩＩ、ロジウムＩＩ、ＩＩＩ、またはＩＶ、およびルテニウムＩＩまたはＩＩＩを含むが、これらに限定されない。導入された時の金属の酸化状態は必ずしも活性形態の状態ではない。金属は、好ましくは鉄、ニッケル、または銅、より好ましくはマンガン、および最も好ましくはコバルトである。金属に対する対イオンは塩化物、アセテート、ステアリン酸塩、パルミチン酸塩、カプリル酸塩、リノール酸塩、タレート、２−エチルヘキサノエート、ネオデカノエート、オレイン酸塩、またはナフテン酸塩を含むが、これらに限定されない。特に好ましいのはネオデカノエート、オレイン酸塩、またはナフテン酸塩である。特に好ましい塩はコバルト（ＩＩ）２−エチルヘキサノエート、コバルトステアリン酸塩、およびコバルト（ＩＩ）ネオデカノエートを含む。金属塩はイオノマーとすることもでき、この場合、ポリマーの対イオンが採用されている。このようなイオノマーは当技術分野でよく知られている。上述の酸素スカベンジャーのいずれかおよび遷移金属触媒は、プラスチック製包装用品においてフィルム層を形成するために典型的に使用されている熱可塑性ポリマーなどの１つまたは複数のポリマー希釈剤とさらに組み合わせることができる。特定の包装用品の製造において、よく知られている熱硬化性樹脂もポリマー���釈剤として使用できる。希釈剤として使用できるポリマーは、ポリエチレンテレフタレート（ＰＥＴ）、ポリエチレン、低または非常に低密度ポリエチレン、超低密度ポリエチレン、線形低密度ポリエチレン、ポリプロピレン、ポリビニル塩化物、ポリスチレン、およびエチレンのコポリマーであるエチレン−ビニルアセテート、エチレン−アルキル（メタ）アクリレート、エチレン−（メタ）アクリル酸、およびエチレン−（メタ）アクリル酸イオノマーなどを含むが、これらに限定されない。異なる希釈剤の調合も使用することができる。しかし、ポリマー希釈剤の選択は製造される用品および最終的な用途に大きく依存する。このような選択の要素は当技術分野ではよく知られている。さらなる添加物は、製造される特定の用品に対して所望される特性を伝達するために組成物に含ませることもできる。このような添加物は、充填剤、顔料、染料、抗酸化剤、安定剤、加工補助剤、可塑剤、防火剤、霧防止剤などを含むが、これらには必ずしも限定されない。上記に掲げた成分の混合は、５０℃から３００℃の範囲の温度で溶解調合により好ましくは達成される。しかし、気化が後に続く溶媒の使用などの代案も採用できる。調合は、完成包装用品の生産において完成品または未完成品の形成の直前、または後の使用のための供給原料または主バッチの形成に先立ってもよい。好ましい酸素スカベンジャーはＣｒｙｏｖａｃ，  Ｉｎｃ．から入手可能なＯＳ  Ｆｉｌｍｓ（登録商標）ならびにＣＳＩＲＯ（Ｃｏｍｍｏｎｗｅａｌｔｈ  Ｓｃｉｅｎｔｉｆｉｃ  ａｎｄ  Ｉｎｄｕｓｔｒｉａｌ  Ｒｅｓｅａｒｃｈ  Ｏｒｇａｎｉｚａｔｉｏｎ）から入手可能なＺＥＲＯ２（登録商標）技術を含む。
【００４１】
本明細書における「プラスチック再閉鎖可能ファスナ」は、当技術分野でよく知られているタイプの感圧密着式のストリップまたはテープなどの物品を指す。本明細書における「プラスチック再閉鎖可能ファスナ」は、再閉鎖可能なかみ合いリブの形になったオスおよびメスのファスナ要素、およびパッケージが開放され、閉鎖され、さらに、開放されることを可能にする、すなわち、再閉鎖可能性を提供する溝要素を有する「ジッパ」も指す。２つの一般的なタイプのジッパは、ジッパを閉じるためにオスおよびメス要素が相互に一緒に押圧される「ピンチ」ジッパ、および典型的な準堅固なスライダがジッパ上に取り付けられ、ジッパを閉じるためにジッパの長さに沿って横方向に走行する「スライド」ジッパである。ピンチジッパの例は、参照により全て全体が本明細書に組み込まれている米国特許第５，０５９，０３６号（Ｒｉｃｈｉｓｏｎ他）、第５，１４７，２７２号（Ｒｉｃｈｉｓｏｎ他）、および第５，１４７，２７２号（Ｒｉｃｈｉｓｏｎ他）に開示されている。スライドジッパの例は参照により全体が本明細書に組み込まれている米国特許第５，００７，１４３号（Ｈｅｒｒｉｎｇｔｏｎ）である。典型的なジッパは、第１の部材の表面上に取り付けられた溝または他の窪みおよび第２の部材の表面上のリブまたは他の突出部を有するものであり、このリブまたは他の突出部は、第１および第２の部材が一緒に押圧された時に溝または他の窪み内にかみ合うことができる。代案として、表面に取り付けられた複数の溝または他の窪みを有する第１の部材および複数のリブまたは突出部を有する第２の部材は、第１および第２の部材が一緒に押圧された時にかみ合うことができる。この代案の場合、２つの部材間に外観の実質的な相違はないことがある。なぜなら、リブは、単に、同じ種類の別のものに固定することができるストリップ上の溝間の間隔とすることができるからである。より一般的には、２つの表面を一つに結合させるために、何らかの形のオス／メス相互嵌合が使用されている。かみ合う部材は部材の境界周辺にフランジが存在するように典型的に製造される。フランジは、基本的にジッパ全体のかみ合い部分を担持し、ジッパが閉鎖機能を形成するパッケージへの加熱封着、糊付け、または接着の他の手段による装着を促進する。ジッパは市販されており、ジッパが取り付けられる選択された材料に対するジッパの固着を強化または防止するためのコーティングで被覆されている。当業者は再閉鎖可能なプラスチックジッパ技術を知ることができよう。
【００４２】
本明細書における「ポリアミド」は分子鎖に沿ってアミド結合を有するポリマーを指し、好ましくは、ナイロンなどの合成ポリアミドを指す。さらに、この用語は、ポリアミドを形成するために重合したカプロラクタムなどのモノマーから誘導された反復単位を含むモノマー、ならびに、当技術分野で「コポリアミド」と呼ばれることがあるジアミンおよび二酸のポリマー、およびナイロンテルポリマーを含む２つ以上のアミドモノマーのコポリマーの双方を包含する。「ポリアミド」は、例えば、ポリアミド６（ε−カプロラクタム系ホモポリマー）、ポリアミド６，９（ヘキサメチレンジアミンおよびアゼライン酸系ホモ重縮合物）、ポリアミド６，１０（ヘキサメチレンジアミンおよびセバシン酸系ホモ重縮合物）ポリアミド６，１２（ヘキサメチレンジアミンおよびドデカン酸系ホモ重縮合物）、ポリアミド１１（１１−アミノウンデカン酸系ホモポリマー）、ポリアミド１２（ω−アミノドデカン酸系またはラウロラクタム系ホモポリマー）、ポリアミド６／１２（ε−カプロラクタムおよびラウロラクタム系ポリアミドコポリマー）、ポリアミド６／６，６（ε−カプロラクタムおよびヘキサメチレンジアミンおよびアジピン酸系ポリアミドコポリマー）、ポリアミド６，６／６、１０（ヘキサメチレンジアミン、アジピン酸、およびセバシン酸系ポリアミドコポリマー）、これらの修飾物、およびこれらの調合物と一般に呼ばれる脂肪族ポリアミドまたはコポリアミドを特に含む。前記用語は結晶性または部分的結晶性、または非晶質の、芳香族または部分的に芳香族のポリアミドも含む。部分的結晶性芳香族ポリアミドの例は、メタキシリレンアジパミド（ＭＸＤ６）／ＭＸＤ１などのＭＸＤ６コポリマーを含む。非晶質準芳香族ポリアミドの例は、ポリ（ヘキサメチレンイソフタルアミド−ｃｏ−テレフタルアミド）（ＰＡ−６，Ｉ／６Ｔ）、ポリ（ヘキサメチレンイソフタルアミド）（ＰＡ−６，Ｉ）、さらに、ＰＡ−ＭＸＤＩ、ＰＡ−６／ＭＸＤＴ／Ｉ、ＰＡ−６，６／６Ｉなどと略称されている他のポリアミドなどを非独占的に含む。
【００４３】
本明細書における「ポリエステル」は、ポリマーの主な主鎖が多官能性アルコールおよび酸のエルテル化縮合により形成されている熱可塑性ポリマーを指す。コポリエステルは含まれる。ポリエステルの例はポリエチレンテレフタレートである。
【００４４】
本明細書における「ポリマー」はホモポリマー、コポリマー、ターポリマーなどを指す。本明細書における「コポリマー」はコポリマー、ターポリマーなどを含む。本明細書における「ＰＶＤＣ」は、コポリマーの主量がビニリデン塩化物を含み、コポリマーの副量がそれと共重合可能な１つまたは２つの不飽和モノマー、典型的にビニル塩化物、およびアルキルアクリレートまたはメタクリレート（例えば、メチルアクリレートまたはメチルメタクリレート）、および異なる比率のそれらの調合を含むいずれのビニリデン塩化物コポリマーも指す。一般に、ＰＶＤＣ障壁層は、当技術分野で知られているように可塑化剤および／または安定剤を含む。
【００４５】
本明細書における「無線周波数識別デバイス」および「ＲＦＩＤ」は情報を送るための媒体として電磁エネルギを使用する技術を指す。ＲＦＩＤデバイスは電子的な識別に対して使用される。ＲＦＩＤは一意の識別番号、およびこの一意の番号をＲＦＩＤ読取り器に通信するための特化した微小電子回路（トランスポンダ）を備えたマイクロチップを含む。ＲＦＩＤは電池を含まないために受動的通信デバイスと呼ばれる。むしろ、ＲＦＩＤは、トランスポンダに電力を与えて一意の識別番号を含む無線信号を読取り器に返信するために、ＲＦＩＤ読取り器から受信した電磁エネルギを使用している。続いて、この番号は記録のためにコンピュータに直接送られる。典型的に、ＲＦＩＤタグは、様々な物品が１つの地点から他の地点への移動中に容易に追跡できるように、または販売取引を介して容易に識別できるように、それらの物品に貼付されるデバイスである。したがって、対象物にタグを付けることができ、それによって、ＲＦＩＤタグに関した対象物の識別番号に関連する付加的なデータを含むことができるホストコンピュータに頻繁に接続される読取り器を介して、対象物は自動的に識別または追跡することができる。さらに、ＲＦＩＤタグはＩＤタグが装着されている対象物についてのプログラム済みの情報を全般的に含む。そのような情報の使用を介して、ＲＦＩＤ技術は、対象物を自動的に識別するために、かつ、ほとんどのバーコードシステムにおいて必要である手作業の取り扱い操作なしに使用することができる。
【００４６】
本明細書における「きっかけを与える」などは、米国特許第５，２１１，８７５号において定義されている工程を指し、この工程により、帯状体、組成物、フィルムなどを、少なくとも約１．６ｍＷ／ｃｍ２の強度で約７５０ｎｍ未満の波長を有する化学線放射、または少なくも約０．２メガラッドの線量の電子ビームに露光させることにより、酸素排除が開始され、開始の後、酸素排除速度は、酸素排除が開始された後少なくとも２日間にわたって、酸化可能有機化合物のグラム当たりで１日当たり少なくとも約０．０５ｃｃの酸素である。好ましいのは、酸素感応材料でパッケージを充填中および封着中の使用において、またはその直前に酸素スカベンジャーを活性化することができるように、短い「誘導期間」（酸素スカベンジャーを化学線放射源に露光させた後に、酸素排除活動の開始が開始される前までに過ぎる時間）を提供する方法、前成形されたパッケージの内部表面全体にわたり、酸素排除材料が実質的に一貫してきっかけを与えられる方法、単純、かつ、現行の包装手順に既に組み込まれている方法、および現行の包装システムに既にインラインで組み込まれている方法である。したがって、「きっかけを与える」は上述のように組成物または物品を化学線に露光させることを指し、「開始」は酸素排除が実際に開始する時点を指し、かつ、「誘導期間」は、もしあるなら、きっかけの提供と開始の間の時間長を指す。
【００４７】
「真空スキン包装」は、１つの意味において、包装される物品が成形帯状体に対する鋳型として機能する加熱成形工程である。物品は、平坦、または堅固もしくは延伸（発泡）ポリマートレーなどの例えばトレイ形、ボウル形、もしくはカップ形になった堅固または準堅固な支持部材上に定置することができ、続いて、支持された物品はチャンバに送られ、ここで、（ポリマーフィルムまたは積層体などの）頂部帯状体が加熱されたドームに対して上方に引かれ、続いて、柔らかくなった頂部帯状体は物品を覆って掛けられる。帯状体の移動は真空および／または空気の圧力により制御され、コンテナの内部は、支持帯状体への頂部帯状体の最終的な溶接の前に真空化される。したがって、加熱された頂部帯状体は製品の周囲で隙間のない皮膚を形成し、かつ、支持体に封着される。したがって、製品は真空下で包装され、製品を含む空間は気体から撤退される。したがって、製品の周囲に形成される頂部帯状体および支持部材のために使用される頂部帯状体の双方が、酸素感応製品の陳列または保管の寿命に有害な酸素および他の気体に対する障壁を提供することが望ましい。同様に望ましいのは、そのような操作における一般的かつ再発性の問題、すなわち、最終的な包装済み製品におけるしわの発生および他の異常を回避するための高度の成形性および延伸性である。
【００４８】
本明細書における「帯状体」は、光データ記憶媒体を包装するために使用できるフィルム、積層体、シート、帯状体、またはコーティングなどを意味する。
【００４９】
本明細書において使用されているいずれの組成上の百分率も、別に指定のない限り、「重量」に基き提示されている。
【発明を実施するための最良の形態】
【００５０】
本発明による第１の実施形態は図１および２に示す。主パッケージ１０は、コンパクトディスクまたはＤＶＤなどの光データ記憶媒体１６を保持するための浅いポケット１４を備える加熱成形された（好ましくは底部）帯状体１２を含む。覆い（好ましくは非成形かつ好ましくは頂部）帯状体１８は光データ記憶媒体（ここではコンパクトディスク）を覆い、周囲加熱封着２０の手段により加熱成形された帯状体１２に固着されている。
【００５１】
加熱封着は当技術分野でよく知られているいずれかの適する手段、例えば、衝撃または連続加熱封着バー、ＲＦ封着などにより達成することができる。他の形態の封着は、感圧接着剤または超音波封着を含めて、適切に使用できる。
【００５２】
加熱成形は包装技術においてよく知られており、熱可塑性帯状体が、鋳型内の空洞の形状に従うために、熱柔化され、かつ、再成形される工程である。
【００５３】
加熱成形された帯状体１２は、好ましくは、「底部」帯状体である、すなわち、通常の使用において、パッケージは、帯状体１２がパッケージの底部を含むように帯状体１２上に載置することは、本明細書において注意されたい。同様に、覆い帯状体１８は、好ましくは、「頂部」帯状体である、すなわち、通常の使用において、パッケージは、帯状体１８がパッケージの頂部を含むように位置決めされる。この説明は本発明を理解するうえの便利のためである。にもかかわらず、パッケージはいずれの適する向きでも製造、保管、出荷、および／または陳列することができ、そのため、例えば、加熱成形された帯状体がパッケージの頂部として機能し、かつ、覆い帯状体がパッケージの底部として機能するように、パッケージを支持表面上に置くことができることを、当業者は本発明の検討の後に理解されたい。
【００５４】
加熱成形された、および覆いの帯状体はいずれの適切なポリマー材料からも作製することができ、好ましくは、オレフィン族のポリマーまたはコポリマー、特に、エチレン／アルファオレフィンコポリマーなどのエチレンのポリマーまたはコポリマーを含む。これらの帯状体は単層構成とすることができるが、好ましくは多層構成とすることができる。これらの帯状体は、好ましくは、加熱成形された、および覆いの帯状体のいずれか、もしくは双方の中もしくは上の突出層、またはコーティングのいずれかとして、酸素障壁材料を含む。
【００５５】
加熱成形された帯状体は、堅固もしくは準堅固な加熱成形された材料、または障壁泡、または高密度緊密セル泡材料とすることができる。泡の構成において、好ましい材料はポリオレフィン、ポリスチレン、およびポリカーボネートである。
【００５６】
気体障壁層の厚さおよび組成は、好ましくは厚さ１ミル、２５℃、相対湿度０％で試験された５００［ｃｍ３Ｏ２／ｍ２日気圧］未満、室温および相対湿度０％においては好ましくは１５０［ｃｍ３Ｏ２／ｍ２日気圧］未満、より好ましくは１００未満、かつ、さらに好ましくは２５未満、１５未満、５未満、および１［ｃｍ３Ｏ２／ｍ２日気圧］未満などの５０［ｃｍ３Ｏ２／ｍ２日気圧］未満の（ＡＳＴＭ  Ｄ３９８５により評価された）酸素透過率を持つ全体的な構造を提供するために適切に選択される。
【００５７】
他の層は加熱成形された帯状体および覆い帯状体の双方内に存在できる。前記付加的な層は必要な体積を帯状体に与える目的、または帯状体の機械特性を向上する目的、すなわち、増大された破裂に対する抵抗、増大された誤用に対する抵抗など、または様々な層を互いにより良好に結合するために機能する。
【００５８】
加熱成形された、および覆いの帯状体の少なくとも１つは、例えばコーティングまたは分離した層の形の酸素スカベンジャーを含む。酸素スカベンジャーが、好ましくは覆い帯状体に配置されていても、加熱成形された帯状体は、任意で酸素スカベンジャーを含むこともできる。代案として、加熱成形された帯状体は覆い帯状体の代わりに酸素スカベンジャーを含むことができる。全ての光データ記憶媒体、例えばＤＶＤ−５は、ディスクの１つの側面からの効果的な酸素障壁となる１つまたは複数の金属蒸着された層を内部に含む。ディスクの活性面、すなわち、ディスクが再生される時にレーザにより検出される面は、好ましくは、酸素スカベンジャーを有する帯状体に対面する。
【００５９】
パッケージの好ましい体裁は真空化されたパッケージである。真空パッケージは、このパッケージを作製する工程を含めて、当技術分野で一般によく知られている。図１および２のパッケージを作製するために使用できる１つのそのような工程において、先ず、加熱成形可能な帯状体が鋳型上に移動され、帯状体を柔化するために加熱され、続いて、浅い空洞を有する加熱成形された帯状体を作製するために、プラグまたは他の支援体を使用して、または使用せずに鋳型内に引き込まれる。空洞は、ＣＤまたはＤＶＤなどの光データ記憶媒体を収容するように構成されている。光データ記憶媒体は、例えば手作業または機械的手段により、加熱成形工程により形成された浅い空洞内に定置される。典型的に、しかし、必ずしも非加熱成形されていない第２の帯状体が、好ましくは、合わさるエッジでパッケージの輪郭を描くように合同関係に、第１の帯状体上に定置される。これにより、光データ記憶媒体が覆われる。この工程が行なわれる間、および／またはその後に、パッケージの内部が真空に引かれる。パッケージは周囲で封着され、分離されたパッケージを生産するために個々のパッケージはそれぞれの帯状体における横方向の切断により生産される。加熱成形および帯状体取り扱い装置は市販されている。初期真空工程の後、および封着の前および／またはその間に、パッケージは、任意で、窒素、二酸化炭素、または窒素／二酸化炭素混合気などの不活性気体または気体混合物で気体充填することができる。真空パッケージにおいて、主ポケットから放射状に広がる１つまたは複数の加熱成形されたチャンネルを含むことが望ましいことがある（図１３を参照）。これらはパッケージに付加的な堅牢さを与え、１つのみの帯状体が酸素排除する場合では、酸素排除フィルムのより多くの表面積を露出させ、より迅速な酸素の枯渇を可能にする。
【００６０】
代案として、ＭＡＰパッケージ、特に少ない上部空間を持つＭＡＰパッケージを作製することができる。ＭＡＰパッケージが使用された場合、ディスクをパッケージ内で静止に保持するため、追加の加熱封着領域を任意で使用することができる（図１１を参照）。ＭＡＰパッケージは、真空パッケージについては基本的に本明細書に説明したように生産することができるが、パッケージの再真空化なしに、真空工程およびその後の気体充填工程のみが実施される。
【００６１】
この実施形態においては、パッケージ内の酸素が利用寿命限定光データ記憶媒体の早期の不活性化をもたらさないことを確実にすることがより困難である可能性があるが、代案として、本発明のパッケージは真空化または気体充填の工程のいずれかをなくして作製することができる。
【００６２】
本発明の帯状体は、フィルムが使用される特定の包装操作に対する所望の特性を帯状体が提供する限り、所望されたいかなる総厚さも有することができる。最終的な帯状体の厚さは、工程、最終的な使用実用例などによって変化が可能である。典型的な厚さは０．１から２０ミル、好ましくは０．３から１５ミル、より好ましくは０．５から１０ミル、より好ましくは１から８ミル、より好ましくは４から５ミルなどの３から６ミルの範囲である。頂部帯状体は２と５ミルの間の厚さを典型的に有し、底部帯状体は５と１０ミルの間の厚さを典型的に有する。
【００６３】
本発明の帯状体は共押出し、積層、および押出しコーティングを含むいずれの適する工程によっても作製でき、好ましくは、管形鋳造共押出し、平坦鋳造共押出しにより、または熱風共押出し工程により作製される。フィルムは任意で延伸配向できるが、好ましくは延伸配向されない。
【００６４】
主パッケージは、任意の光データ記憶媒体を保管するためであるため、使用できる。代案として、主パッケージは板紙のスリーブもしくは封筒内に挿入、および任意でこれに接着、または小冊子のポケット内に挿入することができる（図３を参照）。主パッケージの外側の表面層は、好ましくは、板紙の封筒と一体化したパッケージを形成するために、様々なタイプの接着剤と互換性を持つ。加えて、板紙が書籍状のパッケージを形成している場合は、裂断抵抗を与えるために主プラスチックパッケージを紙を通じて延長させることが望ましいことがある。板紙が容易に裂断する場合は、窃盗犯にとって主プラスチックパッケージからＲＦＩＤまたはＥＡＳタグを分離することが可能になる可能性がある。
【００６５】
図３を参照すると、主パッケージ１１０は、コンパクトディスクなどの光データ記憶媒体１１６を保持するための浅いポケット１１４を備えた加熱成形された（好ましくは底部）帯状体１１２を含む。覆い（好ましくは非成形および好ましくは頂部）帯状体１１８は、光データ記憶媒体（ここではコンパクトディスク）を覆い、周囲の加熱封着１２０の手段により加熱成形された帯状体１１２に接着されている。任意の熱可塑性または紙のフラップ１２２が、パッケージ内の蝶番または折込み１２４の手段により主パッケージ１１０に装着されている。主パッケージ１１０は陳列または保管用のスリーブ１２６内に挿入することができる。スリーブは図示するように直線で構成するか、または主パッケージ１１０の全体または部分を収容するための適するいずれの他の形状とすることができる。スリーブは、好ましくは板紙スリーブであるが、代わりに、熱可塑性または熱硬化性の材料などの代替材料で作製することができる。スリーブ１２６の前壁１２８は、任意の覗き窓１３２を含むことができる。この窓は、光データ記憶媒体がいつ不活性となったかを視覚的に決定するための手段を提供できる。そのため、例えば、光データ記憶媒体に光可逆変色が発生した場合、かつ、光データ記憶媒体の全体または部分が（例えば、本来の銀色から他の色に）変色した場合、この色は覗き窓１３２を介して示される。そのため、この機構は、欠陥のある（すなわち、早期に不活性化された）ＣＤ、ＤＶＤ、または他の光デバイスが購入されないことを確実にするための品質管理のチェックを潜在的な購入者に与える。この機構は、光データ記憶媒体の寿命が満了したという購入後の示唆も与える。窓１３２は、同様に／代わりに、パッケージが作製された後、またはパッケージを構成する帯状体の上のいずれかに、主パッケージの適切な部分上に直接取り付けることができる。この実施形態は、主パッケージが光データ記憶媒体の色を見るために十分に透明ではない場合に、特に有用となり得る。
【００６６】
フラップ１３０はスリーブ１２６の部分として任意で含めることができる。フラップ１３０は好ましくは板紙であるが、代わりに、熱可塑性または熱硬化性の材料などの代替材料で作製することができる。フラップ１３０は小冊子を形成するために使用できるか、または追加のページもしくはフラップを加えることができる。
【００６７】
バーコードまたはＲＦＩＤタグ１３４などの人間または機械読取り可能な一意の識別子は、前壁１２８上またはスリーブ１２６上のどこか他の位置に任意で含めることができる。バーコードまたはＲＦＩＤタグなどのいずれの一意の識別子も、包装された光データ記憶媒体の正当性を識別かつ確認し、逆に、光データ記憶媒体の内容の海賊版または偽造のコピーを識別するホストコンピュータに情報を提供する。認証の提供に加えて、各パッケージ上の一意の識別子は、製品追跡および在庫管理を考慮する。このような識別子は、欠陥のある製品をリコールするために必要である場合にも使用できる。クーポンの提供および割戻し金は、各パッケージ上に一意の識別子を有することにより直ちに促進される。一意の識別子は、クーポンまたは割戻し金が無法な顧客により２回以上使用されることを防止する。ＥＡＳタグ１３４は盗難防止保護を、例えば小売店の環境において提供する。
【００６８】
本発明のパッケージは、パッケージを開封するための手段を任意で含めることができ、その手段は図４、５、６、および７に図表的に示す。光データ記憶媒体が鋭利な物体により容易に傷付けられ、または損傷を受けるため、本発明のパッケージは、好ましくは、パッケージを開封するための手段、特に容易な開封機構を有する。容易な脱装封着材はプルタブを有するパッケージにおいて有益に使用することができる。
【００６９】
図４を参照すると、主パッケージ２１０は図１および２の主パッケージ１０に対応し、かつ、コンパクトディスクなどの光データ記憶媒体２１６を含む。覆い（好ましくは非成形および好ましくは頂部）帯状体２１８は光データ記憶媒体（ここではコンパクトディスク）を覆い、かつ、加熱成形された帯状体に周囲の加熱封着２２０の手段により接着されている。テアノッチ２２２はパッケージのエッジに配置されている。テアノッチは手作業またはいずれのよく知られているノッチ形成デバイスによっても作製できる。動作において、見られる如くのパッケージの上部および下部、すなわち、テアノッチの上方の部分およびテアノッチの下方の部分が掴まれ、パッケージの部分を分離するために異なる方向に引かれ、封入された光データ記憶媒体への接触をもたらす。
【００７０】
図５を参照すると、主パッケージ３１０は図１および２の主パッケージ１０に対応し、かつ、コンパクトディスクなどの光データ記憶媒体３１６を含む。覆い（好ましくは非成形および好ましくは頂部）帯状体３１８は光データ記憶媒体（ここではコンパクトディスク）を覆い、かつ、加熱成形された帯状体に周囲の加熱封着３２０の手段により接着されている。プルタブ３２２はパッケージの１つの角に配置されている。プルタブは手作業またはいずれのよく知られている機械式デバイスによって作製できる。動作において、プルタブは掴まれ、封入された光データ記憶媒体への接触をもたらすために、パッケージの中央に向けて引かれる。図５のプルタブは、好ましくは容易な脱装封着材と結合される。すなわち、好ましくは、加熱成形可能な帯状体および覆い帯状体の材料および封着特性が、好ましくは２．５ポンド未満、より好ましくは１と２ポンドの間などの１．５ポンド未満などの２ポンド未満の脱装力で包装材料をプルタブが容易に脱装するようなものにする。
【００７１】
図６を参照すると、主パッケージ４１０は図１および２の主パッケージ１０に対応し、かつ、ＤＶＤなどの光データ記憶媒体４１６を含む。覆い（好ましくは非成形および好ましくは頂部）帯状体４１８は光データ記憶媒体（ここではＤＶＤ）を覆い、かつ、加熱成形された帯状体に周囲の加熱封着４２０の手段により接着されている。テアストリップ４２２はパッケージにわたって横に延長し、かつ、（図６の左側面上に示す）１つの端部においてパッケージの横方向エッジを越えて延長する。テアストリップ４２２は手作業または当技術分野でよく知られている機械的手段によりパッケージの生産中にパッケージ内に取り付けることができる。動作において、テアストリップは掴まれ、封入された光データ記憶媒体への接触を提供するためにパッケージにわたって引かれる。図４および６のテアノッチまたはテアストリップは、好ましくは、容易なテア包装材料と結合されている。すなわち、このような実用例のための加熱成形可能な帯状体および／または覆い帯状体は、好ましくは、比較的小さなテア開始値、および特に、低いテア伝播値を有する。
【００７２】
図７を参照すると、主パッケージ５１０は図１および２の主パッケージ１０に対応し、かつ、コンパクトディスクなどの光データ記憶媒体５１６を含む。覆い（好ましくは非成形および好ましくは頂部）帯状体５１８は光データ記憶媒体（ここではコンパクトディスク）を覆い、かつ、加熱成形された帯状体に周囲の加熱封着５２０の手段により接着されている。プラスチック再閉鎖可能ファスナ５２２はパッケージにわたって横方向に延長する。プラスチック再閉鎖可能ファスナは、手作業または当技術分野でよく知られている機械的手段によりパッケージの生産中にパッケージ内に取り付けることができる。プラスチック再閉鎖可能ファスナは２つの好ましい実施形態を有する。ファスナは当技術分野でよく知られている感圧接着ストリップまたはテープのタイプの形を取る。この実施形態において、動作において、加熱成形された帯状体および覆い帯状体は、パッケージを開封して封入されている光データ記憶媒体への接触を与えるために、掴み、反対方向に引くことができる。代わりに、プラスチック再閉鎖可能ファスナは再閉鎖可能な嵌合するリブおよび溝の要素の形になったオスおよびメスのファスナ要素を有する「ジッパ」の形も取れる。いずれの実施形態もパッケージが開封され、閉鎖され、さらに、再開封されることを可能にする、すなわち、再閉鎖可能性を提供する。ジッパの２つの一般的なタイプは、ジッパを閉じるためにオスおよびメスの構成部分が相互に一緒に押圧される「ピンチ」ジッパ、および典型的な準堅固なスライダがジッパ上に取り付けられ、ジッパを閉じるためにジッパの長さに沿って横方向に走行する「スライド」ジッパである。ピンチジッパは感圧接着ストリップまたはテープと非常に似通って開くことができる。スライドジッパは、パッケージを開封して封入されている光データ記憶媒体への接触を提供するために、掴むこと、およびスライドをパッケージの面にわたって横方向に移動させることにより操作される。今説明したタイプの再閉鎖可能機構は、一旦開封されたディスクの再生寿命を消費者が延長することを可能にする。酸素排除パッケージは、この機能を収容するために付加的な排除能力を組み込むことができる（なぜなら、パッケージの本来の開封およびディスクの再生はディスク内への酸素の多少の進入を可能にするからである）。逆に、ディスクの再生寿命を制限するためには、関連する帯状体における過剰な酸素排除能力を回避すること、および／または再閉鎖可能機能を含まないことが望ましいことがある。
【００７３】
図８を参照すると、主パッケージ６１０は図１および２の主パッケージ１０に対応し、かつ、コンパクトディスクなどの光データ記憶媒体６１６を含む。覆い（好ましくは非成形および好ましくは頂部）帯状体６１８は光データ記憶媒体（ここではコンパクトディスク）を覆い、かつ、加熱成形された帯状体に周囲の加熱封着６２０の手段により接着されている。ハンガ用穴などのパッケージを吊り下げるための手段６２２はパッケージの上部に配置されている。パッケージを吊り下げるための手段は手作業または当技術分野でよく知られている機械的な手段によりパッケージの生産中にパッケージに取り付けることができる。１つの方法は、完成品パッケージにおいて、示すようなハンガの形に、材料を単純に穴抜きする工程である。フック、粘着スポットなどの吊り下げるための代替手段もパッケージを吊り下げるために使用できる。
【００７４】
図９を参照すると、主パッケージ７１０は図１および２の主パッケージ１０に対応し、かつ、コンパクトディスクなどの光データ記憶媒体７１６を含む。覆い（好ましくは非成形および好ましくは頂部）帯状体７１８は光データ記憶媒体（ここではコンパクトディスク）を覆い、かつ、加熱成形された帯状体に周囲の加熱封着７２０の手段により接着されている。ＲＦＩＤもしくはＥＡＳのタグ、または詳細には、Ｆｌｙｉｎｇ  Ｎｕｌｌ技術に基くタグなどのパッケージを識別するための手段７２２はパッケージの加熱成形された帯状体または（ここに示すように）覆い帯状体に装着されている。パッケージを識別するための手段は、後に関連する帯状体に接着されるタグ上の粘着背面によるなど、手作業または当技術分野でよく知られている機械的手段によりパッケージの生産中にパッケージに取り付けることができ、帯状体が一体にされる前または後のいずれでも取り付けることができる。バーコードまたはＲＦＩＤタグは、万引き犯による除去を回避するために、加熱成形された帯状体または覆い帯状体の少なくとも１つ上に直接印刷することができる。本明細書の「識別するための手段」は、主に盗難防止システムとして適合されたシステム、および物品の特性について人間または電子読取り器に情報を提供することを主に目的としたシステムを含むように、その広義で使用されている。例えば、Ｆｌｙｉｎｇ  Ｎｕｌｌタグは認証審査を提供するためにパッケージに組み込むことができる。
【００７５】
図１０を参照すると、主パッケージ８１０は図１および２の主パッケージ１０に対応し、かつ、コンパクトディスクなどの光データ記憶媒体８１６を含む。覆い（好ましくは非成形および好ましくは頂部）帯状体８１８は光データ記憶媒体（ここではコンパクトディスク）を覆い、かつ、加熱成形された帯状体に周囲の加熱封着８２０の手段により接着されている。パッケージの帯状体の１つに取り付けられた窓などのカラーパッチ８２２は光データ記憶媒体の一部を形成するインクと協働して使用することができる。カラーパッチ８２２は、手作業または当技術分野でよく知られている機械的手段によりパッケージの生産中にパッケージに取り付けることができ、帯状体が一体にされる前または後のいずれでも取り付けることができる。カラーパッチ８２２に隣接して、「この色の時にディスクの期限が切れます」などの印刷文面が印刷でき、パッチの印刷色は不活性となった光データ記憶媒体の色を識別するために選択される。
【００７６】
図１１を参照すると、主パッケージ９１０は図１および２の主パッケージ１０に対応し、かつ、コンパクトディスクなどの光データ記憶媒体９１６を含む。覆い（好ましくは非成形および好ましくは頂部）帯状体９１８は光データ記憶媒体（ここではコンパクトディスク）を覆い、かつ、加熱成形された帯状体に周囲の加熱封着９２０の手段により接着されている。封着部分９２２はパッケージのエッジから離れて間隔を空けられ、したがって、周囲の封着の部分を形成していない部分であって、光データ記憶媒体を所定の位置に保持することに役立ち、パッケージの製造、出荷、および再生の間に光データ記憶媒体の実質的なずれを防止する。封着部分９２２は周囲の封着を作製するために使用された封着機構と同じもの、または独立した封着デバイスのいずれかにより、パッケージの生産中に作製することができる。封着部分９２２は周囲の封着と同時に、または別個の工程として作製することができる。封着部分はパッケージのいずれの部分でも占めることができ、ここに示すように不連続としても、または例えば光データ記憶媒体の円周全体の周辺の連続した配列で配置することもできる。本明細書に開示されている如くの本発明の様々な実施形態において、周囲の封着、および時にはパッケージの両エッジの中間の追加の封着領域も開示されていることに注意されたい。加熱成形された帯状体と覆い帯状体の間の、および支持部材と覆い帯状体の間の界面の残りの部分は、封着されずに残すことができるか、またはいずれかの適する手段により部分的もしくは全体的に封着することができる。いくつかの場合では、個々の帯状体が、しばしば単にパッケージ製造工程の結果として緊密な結合にあるように、帯状体界面の残りの部分の一部または全体において脱装可能な接着が形成される。この脱装可能な接着は、通常の保管および出荷の間、帯状体を結合状態に維持することがあるが、帯状体がパッケージのこれらの部分において容易に脱装されることを可能にする。同様に、光データ記憶媒体を収容する加熱成形された帯状体の空洞は、光データ記憶媒体と同じ直径もしくはサイズ、またはほぼ同じ直径もしくはサイズとすることができる。これは、空洞内での光データ記憶媒体の比較的緊密な適合を与える。代案として、加工者は、光データ記憶媒体の直径またはサイズより有意に大きな空洞を作製することもできる。これは、例えば、パッケージ作製工程を迅速化するため、または修正雰囲気および／もしくは酸素スカベンジャーの活動のために光データ記憶媒体の周辺の空間を許容するために行なうことができる。同様に、典型的なディスクの垂直方向の深さは約１．２ｍｍの厚さである。加熱成形された帯状体内の空洞は、好ましくは、約１．５から２．０ｍｍの深さのものである。代案として、有意により深いか、またはより浅い空洞を所望により作製することができる。
【００７７】
図１２を参照すると、主パッケージ１０１０は図１および２の主パッケージ１０に対応し、かつ、コンパクトディスクまたはＤＶＤなどの光データ記憶媒体１０１６を含む。覆い（好ましくは非成形および好ましくは頂部）帯状体１０１８は光データ記憶媒体（ここではコンパクトディスク）を覆い、かつ、加熱成形された帯状体に周囲の加熱封着１０２０の手段により接着されている。印刷識別印１０２２および１０２４は印刷された情報または図表を提供できる。例えば、印刷識別印１０２２は広告情報を備えた事前印刷済み感圧ラベルとすることができ、印刷識別印１０２４は「利用期限」の日付または満了の日付を含むことができる。印刷識別印は一次元および二次元のバーコードも含むことができる。これらの識別印は、印刷、もしくは作製済みラベルのパッケージへの接着によりパッケージの生産中に作製することができるか、またはインクジェット、フレキソ印刷、もしくは輪転グラビア印刷などのいずれかの適する印刷工程により、パッケージ生産に先立ち、加熱成形された帯状体および覆い帯状体のいずれか、もしくは双方に印刷もしくは接着することができる。
【００７８】
図１３を参照すると、主パッケージ１１１０は図１および２の主パッケージ１０に対応し、かつ、コンパクトディスクなどの光データ記憶媒体１１１６を含む。覆い（好ましくは非成形および好ましくは頂部）帯状体１１１８は光データ記憶媒体（ここではコンパクトディスク）を覆い、かつ、加熱成形された帯状体に周囲の加熱封着１１２０の手段により接着されている。１つまたは複数のチャンネル１１２２は完成品パッケージに含めることができる。これらのチャンネルは覆い帯状体１１１２および／または加熱成形帯状体の単純に隆起させた部分とすることができ、かつ、そのようなチャンネルを作製するための加熱成形用鋳型を事前設計することにより、または他の適する手段により作製することができる。チャンネルは少なくとも２つの目的に役立つ。第一に、チャンネルはパッケージに付加的な堅牢性を提供でき、このことは、平坦性の厳格な要件を備えて光データ記憶媒体を包装するうえで重要なものとなり得る。第二に、１つの帯状体のみが酸素スカベンジャーを含む場合に、チャンネルは排除帯状体のより大きな表面積を露出し、パッケージ内のより迅速な酸素の枯渇を可能にする。
【００７９】
図１から１３の加熱成形されたパッケージに対する代案は、真空スキン（ＶＳＰ）パッケージ形態である。図１４を参照すると、主パッケージ１２１０は図１および２の主パッケージ１０に対応し、かつ、コンパクトディスクなどの光データ記憶媒体１２１６を含む。覆い（好ましくは非成形および好ましくは頂部）帯状体１２１８は光データ記憶媒体（ここではコンパクトディスク）を覆い、かつ、支持部材１２１２に周囲の加熱封着１２２０の手段により接着されている。したがって、パッケージ１２１０は、好ましくは、ＶＳＰ工程により生産される。支持部材１２１２は、（図１４に示すように）平坦とするか、または形状を持つことができ、かつ、固体もしくは延伸された（発泡）ポリマー材料とすることができる堅固もしくは準堅固な材料を含むことができる。光データ記憶媒体は部材１２１２上に定置され、続いて、チャンバに移動され、チャンバで、（ポリマーフィルムまたは積層体などの）覆い帯状体が加熱されたドームに対して上方に引き上げられ、柔化され、続いて、光データ記憶媒体を覆って掛けられる。帯状体の移動は真空および／または空気圧により制御され、覆い帯状体の支持部材への最終的な封着の前に、パッケージの内部は真空化される。そのため、加熱された覆い帯状体は光データ記憶媒体の周辺に緊密な被覆を形成し、支持部材に封着される。製品は好ましくは真空下で包装され、したがって、製品を含む空間は好ましくは気体から撤退される。この形態の長所は、きっかけを与えることに役立つ形成のために印加された熱による、覆い帯状体における排除の迅速な開始である。
【００８０】
当業者は、冒頭の特許請求の範囲において請求されている本発明の範囲から逸脱せずに、本発明における変形が行なえることを理解されよう。
【００８１】
例えば、光データ記憶媒体を含む主パッケージは、ハンガまたはヘッダを提供するために、分離した紙またはプラスチックの部材とさらに結合することができる。板紙、プラスチック、または泡沫を含む障壁は、準堅固な加熱成形された帯状体として利用できる一方、ハンガ、ヘッダ、および／またはペグボード用ノッチを提供する。このようなパッケージは複数のスリーブを有するように設計することができ、複数のディスクを含むことができる。複数のディスクを含むパッケージは、分離した区画を、独立して開かれるように設ける。この形態において、板紙の挿入物または小冊子は加熱成形された帯状体に付加的な堅固さを与える。紙または板紙の挿入物は、酸素が透過可能であるために、排除帯状体のより大きな表面積とのより大きな接触を可能にできる。
【００８２】
代案実施形態は、酸素排除小袋を利用したＭＡＰパッケージを含む。パッケージは光データ記憶媒体を保持するための標準的な「ジェルケース（ＣＤケース）」（またはその半体）をさらに組み込むことができる。このタイプのパッケージにおける湿度制御も有益である。湿度制御剤は酸素排除小袋内に任意で組み込むことができる。
【００８３】
色の付いた小袋は、期限内および期限切れの光データ記憶媒体がどのように見えるかを消費者に対して示すために使用できる。
【００８４】
変色の化学反応を促進するために、パッケージ内の相対湿度を制御または修正することが望ましいことがある。これは、帯状体材料の選択による応目的製作されたＭＶＴＲ、パッケージへの水分もしくは湿潤剤の添加、または包装材料の層の選択的水和を含む能動的および受動的な手段により達成できる。
【００８５】
他の実施形態において、混成パッケージが、図１４に関して開示したＶＳＰ頂部帯状体と組み合わせた図１から図１３に関して開示された加熱成形された帯状体を使用して作製できる。
【００８６】
さらに他の実施形態において、パウチが、パッケージの個々の帯状体のために本明細書に説明したタイプの包装材料（フィルム）から作製することができる。酸素スカベンジャーを含むこのようなパウチは、垂直または水平のタイプの装置上で作製することができる。パウチは事前にきっかけを与えられて提供することができる。したがって、事前にきっかけを与えられたパウチは、本明細書に開示されているタイプのいずれの酸素障壁層またはコーティング、および酸素スカベンジャーを含む。
【００８７】
この実施形態の１つの派生形において、パウチは、パウチを形成するために包装材料のチューブが各端部において封着される水平な成形および封着の工程上で作製され、パウチ形成の前または後に、酸素スカベンジャーを活性化するために、本明細書に説明したように包装材料にきっかけが与えられる。パウチは事前に作製され、事前にきっかけを与えられて包装機に供給され、その後に、パウチの１つの端部において切開され、光データ記憶媒体がパウチ内に挿入され、さらに、パウチは任意で真空化され、および／または（ＭＡＰパウチを作製するために）任意で修正雰囲気で満たされ、続いて、再封着される。水平チューブ形成装置は当技術分野でよく知られており、Ｍｕｌｔｉｖａｃなどの販売者から供給されている。
【００８８】
他の派生形において、パウチは今説明したように作製され、きっかけを与えられるが、パウチの１つの端部は開いたままにされる。続いて、１つまたは複数のこのようなパウチは、各パウチにおいて光データ記憶媒体の包装に先立って有意な排除が行なわれることを防止するための修正雰囲気もしくは酸素スカベンジャー小袋を備えた、または備えていない、酸素障壁構成を有するマスタパックに包装することができる。代案として、１つの端部が開いているパウチは単純に積み重ね、または巻き上げることができ、パウチの酸素障壁性壁は意図された使用に先立つ有意な酸素排除活動を防止する。
【００８９】
垂直形成システムも本明細書に説明されたパウチを形成するために使用できる。垂直形成システムは当技術分野でよく知られており、Ｈａｙｓｓｅｎなどの販売者により供給されている。
【００９０】
他の代案実施形態において、フィルムディスクを切り出し、光データ記憶媒体の少なくとも一部上に定置することができる。このフィルムディスクは酸素スカベンジャーを含むことができ、例えば以下の構造を持つ三層フィルムの形とすることができる。
【００９１】
ポリエチレン／酸素スカベンジャー／ポリエチレン
このようなフィルムは熱風または従来の工程により成形される。
【００９２】
さらに他の実施形態において、酸素スカベンジャーは光データ記憶媒体の少なくとも一部にコーティングとして塗布することができる。代案として、酸素スカベンジャーを担持または含有するラベルを、光データ記憶媒体に貼付することができる。
【００９３】
さらに他の実施形態において、酸素スカベンジャーを含むペレットもしくはウェハ、または平坦化された小袋を、光データ記憶媒体が、例えば加熱成形または真空スキン包装などにより包装される前に、ペレット、ウェハ、または小袋を、光データ記憶媒体に貼付して、または貼付せずに、光データ記憶媒体上に定置することができる。
【００９４】
酸素スカベンジャーのディスク、コーティング、ラベル、ペレット、ウェハ、または平坦化された小袋は、光データ記憶媒体のいずれか、または双方の面に配置することができる。酸素スカベンジャーは、光データ記憶媒体を加熱成形された帯状体の空洞内に定置する前に、または光データ記憶媒体を支持部材上に定置する前に、加熱成形された帯状体または支持部材上に定置することができる。代案として、またはこれに加えて、酸素スカベンジャーは、光データ記憶媒体を加熱成形された帯状体の空洞内に定置した後に、または光データ記憶媒体を支持部材上に定置した後に、加熱成形された帯状体または支持部材上に定置することができる。
【００９５】
熱収縮可能フィルムも、光データ記憶媒体の包装に採用される包装材料のいくつか、または全てに対して使用することができる。
【００９６】
加熱成形、封着、真空化、気体充填、加熱、掛覆、および本明細書に開示されている他の工程は、いずれかの適するかつ従来の手段により実行できる。
【００９７】
本明細書に開示されている本発明のいくつかの代案実施形態、およびこれらの実施形態の特徴は単独で、または組み合わせて使用できる。
【実施例】
【００９８】
利用寿命限定ＤＶＤは、サウスカロライナ州ＤｕｎｃａｎのＣｒｙｏｖａｃ  Ｉｎｃ．から入手可能なＴ６０１０Ｂである１０ミルの高障壁性底部帯状体、および同じくＣｒｙｏｖａｃから入手可能であるＯＳ１０００（登録商標）と呼ばれる酸素排除頂部帯状体を利用して真空包装された。酸素排除頂部帯状体は、Ｃｒｙｏｖａｃのモデル４１０４  Ｓｃａｖｅｎｇｉｎｇ  Ｉｎｉｔｉａｔｉｏｎ  Ｓｙｓｔｅｍ（ＳＩＳ）を使用してきっかけを与えられた。これらのパッケージは図１に示す。ディスクは、酸素感応層が酸素排除フィルムと向き合うようにパッケージ内に定置され、室温で保管された。ディスクの色を定期的に測定するために測色計が使用され、Ｈｕｎｔｅｒ  Ｌ  ａ  ｂ値として、および６５０ｎｍにおける反射百分率を記録した。色および反射率の測定は包装帯状体を介して行なわれたことに注意されたい。表１は包装されたディスクの典型的な挙動を示す。
【００９９】
【表１】
2005532963.tif 000004
表１のデータは、６５０ｎｍにおける臨界反射率が少なくとも３３４日にわたり有意には変化しないことを示している。在庫寿命は約３３４日と４５４日の間で到達された。Ｈｕｎｔｅｒ  ａおよびｂ値はディスクが４５４日目で深い青緑色となることを示している。
【図面の簡単な説明】
【０１００】
【図１】本発明によるパッケージの第１の実施形態の平面図である。
【図２】図１のパッケージの側断面図である。
【図３】パッケージを保管し、陳列することができる搬送用スリーブとの関係を示す図１および２のパッケージの斜視図である。
【図４】テアノッチの形になったパッケージを開封するための手段を含む図１のパッケージの図である。
【図５】プルタブの形になったパッケージを開封するための手段を含む図１のパッケージの図である。
【図６】テアストリップの形になったパッケージを開封するための手段を含む図１のパッケージの図である。
【図７】プラスチック再閉鎖可能ファスナの形になったパッケージを開封するための手段を含む図１のパッケージの図である。
【図８】パッケージを吊り下げるための手段を含む図１のパッケージの図である。
【図９】パッケージを識別するための手段を含む図１のパッケージの図である。
【図１０】カラーパッチを含む図１のパッケージの図である。
【図１１】光データ記憶媒体の部分の周辺の封着領域を含む図１のパッケージの図である。
【図１２】印刷されたラベルを含む図１のパッケージの図である。
【図１３】パッケージ内に複数のチャンネルを含む図１のパッケージの図である。
【図１４】本発明によるＶＳＰパッケージの立面図である。
【図１】
2005532963.tif 000005
【図２】
2005532963.tif 000006
【図３】
2005532963.tif 000007
【図４】
2005532963.tif 000008
【図５】
2005532963.tif 000009
【図６】
2005532963.tif 000010
【図７】
2005532963.tif 000011
【図８】
2005532963.tif 000012
【図９】
2005532963.tif 000013
【図１０】
2005532963.tif 000014
【図１１】
2005532963.tif 000015
【図１２】
2005532963.tif 000016
【図１３】
2005532963.tif 000017
【図１４】
2005532963.tif 000018
【国際調査報告】
2005532963.tif 000019
2005532963.tif 000020